(57)【特許請求の範囲】
【請求項１】
上下方向に細長形状の複数の羽根部材が左右方向に並列に懸架されているブラインド装置であって、
前記羽根部材はアルミニウム合金、ステンレス合金またはニッケル合金で形成されており、
前記羽根部材は前後方向に幅広形状をなすとともに、管状の流路部分と、前記流路部分の左右両側から前端と後端にそれぞれ延びる伝熱部分と、を備え、前記流路部分に少なくとも冷水が供給されて前記羽根部材が結露することで周囲を熱輻射で冷却し、隣接する複数の前記羽根部材の前記流路部分は柔軟な管状部材で互いに連結されており、かつ、
互いに連結された複数の前記羽根部材をそれぞれ回動自在かつ左右方向に移動自在に並列に懸架する懸架機構と、
左右方向に細長形状で複数の前記羽根部材の各々に下方から対向して結露した水滴を収集して排水する排水ドレンと、
を有するブラインド装置。
【請求項２】
前記伝熱部分は、前記流路部分の左右両側から前端と後端にそれぞれ延びて各々一体となり、
前記伝熱部分の断面形状は前端と後端が先細に形成されている請求項１に記載のブラインド装置。
【請求項３】
前記羽根部材は、前後方向に複数の管状の前記流路部分が形成されている請求項１または２に記載のブラインド装置。
【発明の詳細な説明】
【技術分野】
【０００１】
本発明は、上下方向に細長形状で前後方向に幅広形状の複数の羽根部材が左右方向に移動自在かつ回動自在に懸架されていて窓部に配置されるブラインド装置に関する。
【背景技術】
【０００２】
現在、ガラス窓の調光のためにブラインド装置が利用されている。いわゆる縦型のブラインド装置は、上下方向に細長形状で前後方向に幅広形状の複数の羽根部材が左右方向に移動自在かつ回動自在に懸架されている。
【０００３】
このようなブラインド装置では、羽根部材を配列方向と直交させることで、目隠ししたまま外光を取り入れることができる。また、羽根部材を傾斜させることで、外光を遮断することもできる。さらに、複数の羽根部材を配列方向の一方に移動させることで、ガラス窓を開放することもできる。
【０００４】
現在、上述のようなブラインド装置として各種の提案がある(特許文献１)。
【先行技術文献】
【特許文献】
【０００５】
【特許文献１】特開２００８−２０２２９９号公報
【発明の概要】
【発明が解決しようとする課題】
【０００６】
しかし、上述のようなブラインド装置は、調光機能はあるが、ガラス窓を透過する熱射や冷気を防止する機能はない。このため、ブラインド装置が多用されているオフィスなどでは、暖房や冷房を強力に使用する必要がある。
【０００７】
本発明は上述のような課題に鑑みてなされたものであり、調光機能だけではなく、冷房機能や暖房機能も実現することができるブラインド装置を提供するものである。
【課題を解決するための手段】
【０００８】
本発明のブラインド装置は、上下方向に細長形状の複数の羽根部材が左右方向に並列に懸架されているブラインド装置であって、羽根部材はアルミニウム合金、ステンレス合金またはニッケル合金で形成されており、羽根部材は前後方向に幅広形状をなすとともに、管状の流路部分と、流路部分の左右両側から前端と後端にそれぞれ延びる伝熱部分と、を備え、流路部分に少なくとも冷水が供給されて羽根部材が結露することで周囲を熱輻射で冷却し、隣接する複数の羽根部材の流路部分は柔軟な管状部材で互いに連結されており、かつ、互いに連結された複数の羽根部材をそれぞれ回動自在かつ左右方向に移動自在に並列に懸架する懸架機構と、左右方向に細長形状で複数の羽根部材の各々に下方から対向して結露した水滴を収集して排水する排水ドレンと、を有する。
【０００９】
従って、本発明のブラインド装置では、懸架機構で左右方向に並列に懸架された複数の羽根部材に、少なくとも冷水が流動されて結露することで周囲が熱輻射で冷却される。左右方向に並列に配列されている羽根部材に結露した水滴は、左右方向に細長形状の排水ドレンで収集されて排水される。
【００１０】
また、上述のようなブラインド装置において、伝熱部材は、流路部分の左右両側から前端と後端にそれぞれ延びて各々一体となり、伝熱部分の断面形状は前端と後端が先細に形成されていてもよい。
【００１２】
また、上述のようなブラインド装置において、羽根部材は、前後方向に複数の管状の流路部分が形成されていてもよい。
【００１３】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１４】
さらに、本発明では上下方向以外に前後左右の方向も規定しているが、これは本発明の構成要素の相対関係を簡単に説明するために便宜的に規定したものであり、本発明を実施する場合の製造時や使用時の方向を限定するものではない。
【００１５】
また、本発明で云う前後左右上下の方向とは、完全に幾何学的に直交している必要はなく、相対的に前後左右上下となる方向となっていればよく、例えば、各方向が任意の方向に傾斜していてもよい。
【発明の効果】
【００１６】
本発明のブラインド装置では、懸架機構で左右方向に並列に懸架された複数の羽根部材に、少なくとも冷水が流動されて結露することで周囲が熱輻射で冷却される。左右方向に並列に配列されている羽根部材に結露した水滴は、左右方向に細長形状の排水ドレンで収集されて排水される。調光機能だけではなく、冷房機能も実現することができ、熱水を流動させることで暖房機能を実現することもできる。
【図面の簡単な説明】
【００１７】
【図１】本発明の実施の形態のブラインド装置の外観を示す斜視図である。
【図２】ブラインド装置の要部を示す模式的な斜視図である。
【図３】羽根部材の内部構造を示す断面斜視図である。
【図４】ブラインド装置の調光状態を示す斜視図である。
【図５】ブラインド装置の開放状態を示す斜視図である。
【発明を実施するための形態】
【００１８】
本発明の実施の一形態を図面を参照して以下に説明する。なお、本実施の形態では図示するように上下方向以外に前後左右の方向も規定して説明する。しかし、これは構成要素の相対関係を簡単に説明するために便宜的に規定するものである。従って、本発明を実施する製品の製造時や使用時の方向を限定するものではない。
【００１９】
本実施の形態のブラインド装置１００も、図１および図２に示すように、従来のブラインド装置(図示せず)と同様に、上下方向に細長形状で前後方向に幅広形状の複数の羽根部材１１０が左右方向に並列に懸架されている。
【００２０】
ただし、本実施の形態のブラインド装置１００では、少なくとも冷水が流動されて結露することで周囲を熱輻射で冷却する複数の羽根部材１１０と、複数の羽根部材１１０を左右方向に並列に懸架する懸架機構１２０と、左右方向に細長形状で複数の羽根部材１１０の各々に下方から対向して結露した水滴を収集して排水する排水ドレン１３０と、を有する。
【００２１】
さらに、本実施の形態のブラインド装置１００では、図３に示すように、羽根部材１１０は、上下方向と直交する断面形状が管状で冷水が流動される流路部分１１１と、流路部分１１１の左右両側から前端と後端とで各々一体となる先細の断面形状に形成されている伝熱部分１１２とを、有する。
【００２２】
このような形状の羽根部材１１０は、例えば、アルミニウム合金やステンレス合金やニッケル合金の引き抜き材などで形成されており、良好な耐食性と伝熱性と反射性とを実現している。
【００２３】
なお、複数の羽根部材１１０の流路部分１１１は、図１および図２に示すように、柔軟な管状部材１１３で順番に連結されている。左右両端の羽根部材１１０から外部に導出されている管状部材１１３は、冷水を製造する冷水機と、冷水を流動させるポンプと、に連結されている(図示せず)。
【００２４】
なお、本実施の形態のブラインド装置１００も、従来のブラインド装置と同様に、図４に示すように、懸架機構１２０は、複数の羽根部材１１０を左右方向に回動自在に懸架しているとともに、図５に示すように、複数の羽根部材１１０を左右方向に移動自在に懸架している。
【００２５】
また、排水ドレン１３０には、収集した水滴を排出する管状部材１３１が左右方向の一端に連結されており、その管状部材１３１が連結されている一端が下方となるように傾斜されている。
【００２６】
上述のような構造のブラインド装置１００は、従来のブラインド装置と同様に、ガラス窓(図示せず)の内面に設置される。図１に示すように、複数の羽根部材１１０を左右方向に離間させて配列した状態で、その横幅方向をガラス窓の内面と直交させることにより、目隠し機能を実現しながら外光を導入することができる。
【００２７】
また、上述のような状態から、図４に示すように、複数の羽根部材１１０を傾斜させて隣接する羽根部材１１０と重複させることにより、外光を遮断することもできる。さらに、図５に示すように、複数の羽根部材１１０を左右方向の一方に移動させることにより、ガラス窓を開放することもできる。
【００２８】
つまり、本実施の形態のブラインド装置１００は、従来のブラインド装置と同様に、複数の羽根部材１１０により調光機能を実現することができる。そして、本実施の形態のブラインド装置１００は、上述のような調光機能と同時に冷房機能なども実現することができる。
【００２９】
冷房機能を実現する場合には、冷水機で生成した冷水をポンプにより、管状部材１１３で順番に連結されている複数の羽根部材１１０に流動させる。すると、複数の羽根部材１１０は、冷水が流動されて結露することで周囲を熱輻射で冷却する。
【００３０】
このとき、ガラス窓から室内に侵入する輻射熱を遮断することができるので、極めて良好に熱輻射による冷房機能を実現することができる。また、羽根部材１１０は、上下方向と直交する断面形状が略円筒形で冷水が流動される流路部分１１１と、この流路部分１１１の左右両側から前後端部で一体となる先細の断面形状に形成されている伝熱部分１１２とを有する。このため、羽根部材１１０の吸熱性が良好であり、輻射冷房の性能が向上している。
【００３１】
なお、羽根部材１１０の表面に結露した水滴は下方の排水ドレン１３０に収集されて排水される。このため、結露した水滴で室内が汚損されることはない。しかも、複数の羽根部材１１０は柔軟な管状部材１１３で順番に連結されているので、簡単な構造で複数の羽根部材１１０に冷水や温水を供給することができる。
【００３２】
さらに、本実施の形態のブラインド装置１００で暖房機能を利用する場合には、温水機(図示せず)で生成した温水を、ポンプにより複数の羽根部材１１０に流動させればよい。
【００３３】
本実施の形態のブラインド装置１００では、上述のように懸架機構１２０で左右方向に並列に懸架された複数の羽根部材１１０に、少なくとも冷水が流動されて結露することで周囲が熱輻射で冷却される。このため、調光機能だけではなく、冷房機能も実現することができ、熱水を流動させることで暖房機能を実現することもできる。
【００３４】
なお、本発明は本実施の形態に限定されるものではなく、その要旨を逸脱しない範囲で各種の変形を許容する。例えば、上記形態では排水ドレン１３０は羽根部材１１０に結露した水滴を収集して排出することのみ例示した。
【００３５】
しかし、このような排水ドレン１３０の内部に抗菌フィルムが着脱自在に敷設されていてもよい(図示せず)。このような抗菌フィルムは、例えば、銀チタンが表面に塗布されたＰＰ(polypropylene)の樹脂フィルムなどからなる。
【００３６】
このようなブラインド装置(図示せず)では、排水ドレン１３０の内部に抗菌フィルムが敷設されているので、排水ドレン１３０の内部が汚損しにくく、抗菌フィルムを交換するだけで排水ドレン１３０の清掃が完了する。
【００３７】
この抗菌フィルムは、銀チタンが表面に塗布された樹脂フィルムからなるので、水滴に混入した塵芥などの汚損が付着しにくく、カビなども発生しにくい。このような抗菌フィルムは、例えば、二年に一度ほど交換するだけでよい。
【００３８】
さらに、上記形態ではブラインド装置１００で暖房するときに温水を流動させることを例示した。しかし、ブラインド装置１００の羽根部材１１０に電気で駆動されるフィルムヒータ(図示せず)を内蔵しておくことで、このフィルムヒータで羽根部材１１０を発熱させて暖房することもできる。
【００３９】
また、上記形態のブラインド装置１００では、羽根部材１１０は、断面形状が略円筒形で冷水が流動される流路部分１１１と、この流路部分１１１の左右両側から前後端部で一体となる先細の断面形状に形成されている伝熱部分１１２とを有することを例示した。しかし、上述のような羽根部材は各種形状に形成することができ、例えば、前後方向に多数の流路が形成されている多孔管なども利用することができる。(図示せず)。
上記形態は、以下の技術思想を包含する。
（１）上下方向に細長形状で前後方向に幅広形状の複数の羽根部材が左右方向に並列に懸架されているブラインド装置であって、少なくとも冷水が流動されて結露することで周囲を熱輻射で冷却する複数の前記羽根部材と、複数の前記羽根部材を左右方向に並列に懸架する懸架機構と、左右方向に細長形状で複数の前記羽根部材の各々に下方から対向して結露した水滴を収集して排水する排水ドレンと、を有するブラインド装置。
（２）前記羽根部材は、上下方向と直交する断面形状が管状で前記冷水が流動される流路部分と、前記流路部分の左右両側から前端と後端とで各々一体となる先細の断面形状に形成されている伝熱部分とを、有する上記（１）に記載のブラインド装置。
（３）複数の前記羽根部材の前記流路部分が柔軟な管状部材で順番に連結されている上記（２）に記載のブラインド装置。
（４）複数の前記羽根部材の少なくとも一部に電気で駆動されるフィルムヒータが内蔵されている上記（１）ないし（３）の何れか一項に記載のブラインド装置。
【符号の説明】
【００４０】
１００    ブラインド装置
１１０    羽根部材
１１１    流路部分
１１２    伝熱部分
１１３    管状部材
１２０    懸架機構
１３０    排水ドレン
１３１    管状部材
【図１】
0005547602.tif 000002
【図２】
0005547602.tif 000003
【図３】
0005547602.tif 000004
【図４】
0005547602.tif 000005
【図５】
0005547602.tif 000006